(57)【要約】      （修正有）【課題】水草を確実に保持すると共に、水草の育成を促進することができる水槽内用水草保持具に関し、観賞水草体の生産方法を提供する。【解決手段】所定長に切断した水草６を設けるための水草苗床プレートであって、シニヨンネット１と、該シニヨンネットにセットされる水草の上にセットされる上面側の鉢底ネット３と、該上面側の鉢底ネットの上にセットされるレンガベース４と、該レンガベースの上にセットされる下面側の鉢底ネットとで構成される水草苗床プレート。【選択図】図１
0003234729.tif 000002
【実用新案登録請求の範囲】
【請求項１】
所定長に切断した、（6）水草（リシア）が基体（P）水草苗床プレートに、設けられ、この （6）水草は従来にない、（1）シニヨンネット（ヘアーネット）と  （2）ネットホールダー  （3）鉢底ネット  （4）レンガベースを、使う固定具により前記基体（P）水草苗床プレートに、固定されたものと共に（1）シニヨンネットと  （2）ネットホールダー  （3）鉢底ネット  （4）レンガベースを、アクアリウム用品として、提供する。
【請求項２】
水草の浮き上がりを、防ぐための、（1）シニヨンネットは、水草の、種類によって網の目のサイズを変更して、セットします。また（P）水草苗床プレートに、設けられる、（6）水草の種類は、リシア、ウィローモス、ラージパールグラス、グリーンロタラ、ニードルリーフ、ロタラインディカ等があり、（P）水草苗床プレートに、固定されたものを、提供する。なお（P）水草苗床プレートの、形状は、長方形、正方形、円形、クリスマスツリーの、ような円錐形 等の  ものを、提供する。
【請求項３】
観賞水草体 の、改良 生産方法は、（2）ネットホールダー Aに （1）ニュー シニヨン ネット を、広げてセットして、（8）セット容器に、（7）水  2cmほど入れて（6）水草（リシア）を、ピンセットで均一にセット（3）上面鉢底ネット（4）レンガベース （5）だしパック入スティック肥料（3）下面 鉢底ネットで、押さえて、（2）ネットホールダーAを、引上げて  （1）ニュー  シニヨン ネット を、（3）下面 鉢底ネットに、引掛けて固定し、上下回転  （10）鑑賞水槽  内に入れる。改良 生産方法である。
【考案の詳細な説明】
【技術分野】
【０００１】
本実用新案は、鑑賞水槽内に設置する水槽内用水草保持具に関し、特には、水草を確実に保持すると共に、水草の育成を促進することができる水槽内用水草保持具に関する。観賞水草体の生産方法。
【背景技術】
【０００２】
従来の特許文献１観賞水草体及びその生産方法  (特開平2008-113567号公報)では、適度な保水性を有するピートモスを塊状（直径９ｃｍ，高さ５ｃｍの球状）に形成して構成されている。尚、  固定具は、細紐体としてのナイロン製の黒い撚糸からなる糸で構成されており、基体の表面に配された水草を外側から網状に巻きつけることで縛着し、固定する。観賞水草体を金網に載置し基体を構成する素材はピートモスに限られるものではなく、また、基体の形状は薄板状や立法形状であっても良いなどと、記載されている。
また市販類似品では  社名  スドー、 リシアベースM  などがある、なお個人ハンドメイドで、水草、固定具を、  ステンネット、テグス（釣糸）糸や網等の細紐体で水草体を、生産観賞している人もいる。
【先行技術文献】
【特許文献】
【０００３】
【特許文献１】観賞水草体及びその生産方法  (特開平2008-113567号公報)
【考案の概要】
【考案が解決しようとする課題】
【０００４】
観賞水草体 の、改良 水草苗床プレートの 生産方法と、アクアリウム用品 を、提供することを、課題とする。
【課題を解決するための手段】
【０００５】
添付図面を参照し本実用新案の要旨を説明とし。また、所定長に切断した、水草（リシア）が基体  水草苗床プレートに、設けられ、この 水草は従来にない、シニヨンネットと  ネットホールダー  鉢底ネット  レンガベースを、使う固定具により前記基体  水草苗床プレートに、固定されたものと共に  シニヨンネットと  ネットホールダー  鉢底ネット  レンガベースを、アクアリウム用品として、提供する。
【考案の効果】
【０００６】
本実用新案は、例えば単に水槽内に水草苗床プレートを、並べるだけで誰でも簡易に水草を楽しめることになり、しかも、前述した従来例に比し、製造販売する者にも一切の負担が生じない量産性に秀れ且つコスト安に製造することができるなど、極めて商品価値の高い画期的な観賞水草体及びその生産方法の、改良となる
【図面の簡単な説明】
【０００７】
【図１】本実施例に係る要部（P）水草苗床プレートの生産工程説明断面図である
【図２】本実施例に係る要部（P）水草苗床プレートの生産された状態説明写真図である。
【図３】本実施例に係る要部（P）水草苗床プレートの生産工程説明写真図である
【図４】本実施例に係る要部（P）水草苗床プレートの生産工程説明写真図である
【図５】本実施例に係る要部（P）水草苗床プレートの生産工程説明写真図である
【図６】本実施例に係る要部（P）水草苗床プレートの生産工程説明写真図である
【図７】本実施例に係る（P）水草苗床プレートが生産された状態を示す斜視説明写真図である。
【図８】本実施例に係る要部（P）水草苗床プレートの（3）下面 鉢底ネット形状と生産工程説明写真図である
【図９】本実施例に係る観賞水草体を（P）水草苗床プレート  4枚を、鑑賞水槽 内 に入れ 水草を育てた状態を、説明する写真図である。
【図１０】本実施例に係る要部（P）水草苗床プレート円形の生産工程説明写真図である
【考案を実施するための形態】
【０００８】
水草の浮き上がりを、防ぐための、シニヨンネットは、水草の、種類によって網の目のサイズを変更して、セットします。また水草苗床プレートに、設けられる、水草の種類は、リシア、ウィローモス、ラージパールグラス、グリーンロタラ、ニードルリーフ、ロタラインディカ等があり、水草苗床プレートに、固定されたものを、提供する。なお 水草苗床プレートの、形状は、長方形、正方形、円形、クリスマスツリーの、ような円錐形 等の  ものを、提供する。
【実施例】
【０００９】
観賞水草体 の、改良 生産方法は、ネットホールダー Aに ニュー シニヨン ネット を、広げてセットして、セット容器に、水  2cmほど入れて、水草（リシア）を、ピンセットで均一にセットし、上面鉢底ネット. レンガベース. だしパック入スティック肥料.下面 鉢底ネットで、押さえて、ネットホールダーAを、引上げて  ニュー  シニヨン ネット を、下面 鉢底ネットに、引掛けて固定し、上下回転  鑑賞水槽  内に入れる。改良 生産方法である。
【産業上の利用可能性】
【００１０】
添付図面を参照し本実用新案の要旨を説明とし、なお例えば単に水槽内に水草苗床プレートを、並べるだけで誰でも簡易に水草を楽しめることになり、しかも、従来例に比し、製造販売する者にも一切の負担が生じない量産性に秀れ且つコスト安に製造することができるなど、極めて商品価値の高い画期的な観賞水草体及びその水草苗床プレート生産方法の、改良とアクアリウム用品を、提供することとなる
【符号の説明】
【００１１】
（1）ニュー シニヨンネット   ・  水草の浮き上がりを、防ぐ、極細 伸縮網  （ヘアーネット）網の目サイズ3ｍｍ〜15ｍｍ角
（1） シニヨンネット   ・  （ヘアーネット）水草の浮き上がりを、防ぐ、伸縮網  水草の、種類によって網の目のサイズを変更して、セットします。
（2）ネットホールダー A  ・  （1）シニヨン ネット を、強く広げてセットする、ための、プラスチック樹脂製の型枠容器.
（2）ネットホールダー 丸  ・      円形の、プラスチック樹脂製の型枠容器
（3）上面 鉢底ネット  ・  水草 の散乱を押さえるための、プラスチック樹脂製のネット。
（3）下面 鉢底ネット  ・  （1）シニヨンネットを、引っ掻けて固定する、プラスチック樹脂製のネット。
（4）レンガベース   ・  （P）水草苗床プレートの、浮き上がりを、防ぐための、レンガを、薄くカットして、中をくり抜いた板（重り板）
（4）小石ベース  ・    水草苗床プレートの、浮き上がりを、防ぐための、丸い鉢底ネット2枚で、小石を、はさんで、おもりに、したもの、。
（5）だしパック入スティック肥料  ・  だしパックにスティック状の肥料（テトライニシャルスティック）ソイル、（砂）を、合わせて、だしパックに入れたもの。
（6）水草（リシア）セット・  水草（リシア）を、ピンセットで均一にセットした、状態。
（7）  水  ・  （8）セット容器に、（7）水  2cmほど入れ（6）水草（リシア）を、ピンセットで均一にセットする、ための、 水。
（8）セット容器  ・  （8）セット容器に、（7）水  2cmほど入れ（6）水草（リシア）を、ピンセットで均一にセットする、ためのプラスチック樹脂製容器  。
（9）  上下回転・
（10）  鑑賞水槽
（P）  水草苗床プレート  ・  観賞水草苗床プレート水草体  添付図面を参照し本実用新案の要旨を説明とする。
【図１】
0003234729.tif 000003
【図２】
0003234729.tif 000004
【図３】
0003234729.tif 000005
【図４】
0003234729.tif 000006
【図５】
0003234729.tif 000007
【図６】
0003234729.tif 000008
【図７】
0003234729.tif 000009
【図８】
0003234729.tif 000010
【図９】
0003234729.tif 000011
【図１０】
0003234729.tif 000012
【手続補正書】
【提出日】令和3年3月2日(2021.3.2)
【手続補正１】
【補正対象書類名】実用新案登録請求の範囲
【補正対象項目名】請求項１
【補正方法】変更
【補正の内容】
【請求項１】
所定長に切断した、水草（6）〔リシア〕が、基体〔部品〕に、設けられ、この水草（6）は従来にない、シニヨンネット（1）〔ヘアーネット〕  鉢底ネット（3）  レンガベース（4）に、設けられ  ネットホールダー（2）を、  使う固定具の組合せにより前記 基体に、固定されたものを特徴とする、水草苗床プレート（P）アクアリウム用品〔水草(みずくさ)苗床(なえどこ)プレート(ぷれーと)〕
【手続補正２】
【補正対象書類名】実用新案登録請求の範囲
【補正対象項目名】請求項２
【補正方法】変更
【補正の内容】
【請求項２】
水草の浮き上がりを、防ぐための、シニヨンネット（1(１)）は、水草の、種類によって網の目のサイズを変更してセットします、また水草苗床プレート（P(Ｐ)）に、設けられる、水草（6(６)）の種類は、リシア、ウィローモス、ラージパールグラス、グリーンロタラ、ニードルリーフ、ロタラインディカ等があり、水草苗床プレート（P(Ｐ)）に、  水草を固定した観賞用水草体    なお水草苗床プレート（P）の、形状は、長方形、正方形、円形、クリスマスツリーの、ような円錐形 等の  ものを特徴とする観賞用水草体。
【手続補正３】
【補正対象書類名】実用新案登録請求の範囲
【補正対象項目名】請求項３
【補正方法】変更
【補正の内容】
【請求項３】
ネットホールダー （2(２)）の、形状は、蓋（上面）と、底（下面）の  無い函型で、四面 型枠形状  四面 上下の辺は、シニヨンネットの網の目サイズに、よって、フラット  な  もの、と    デコボコ  な  ものなどがあり。水草苗床プレート（P(Ｐ)）用のニュー シニヨン ネット （1(１)）を、広げて水草をセットする、アクアリウム用具。
【手続補正書】
【提出日】令和3年6月25日(2021.6.25)
【手続補正１】
【補正対象書類名】実用新案登録請求の範囲
【補正対象項目名】全文
【補正方法】変更
【補正の内容】
【実用新案登録請求の範囲】
【請求項１】
所定長に切断した水草(6)を設けるための水草苗床プレートであって、
シニヨンネット(1)と、 該シニヨンネット(1)にセットされる水草(6)の上
にセットされる上面側の鉢底ネット(3)と、 該上面側の鉢底ネット(3)の上
にセットされるレンガベース(4)と、該レンガベースの上にセットされる下面
側の鉢底ネット(3)とで構成される水草苗床プレート。
【請求項２】
所定長に切断した水草(6)が水草苗床プレート (P)に設けられた観賞用
水草体であって、水草苗床プレート(P)は、水草の種類によって網の目の
サイズが変更されるシニヨンネット(1)と、 該シニヨンネット(1)の上にセット
される水草(6)の上にセットされる上面側の鉢底ネット(3)と、該上面側の
鉢底ネット(3)の上にセットされるレンガベース (4)と、 該レンガベースの
上にセットされる下面側の鉢底ネットで構成され、前記シニヨンネット(1)の
上にセットされる水草(6)の種類は、リシア、ウィローモス、 ラージパール
グラス、グリーンロタラ、 ニードルリーフ、 ロタラインディカ等があり、水草苗床
プレート(P)の形状は、長方形、正方形、円形、円錐形のいずれかであること
を特徴とする観賞用水草体。
【請求項３】
所定長に切断した水草(6)を水草苗床プレートに設けるための観賞用水草
作成用セットであって、シニヨンネット(1)と、 該シニヨンネット(1)の上
にセットされる水草(6)の上にセットされる上面側の鉢底ネット (3)と、 該
上面側の鉢底ネット(3)の上にセットされるレンガベース(4)と、 該レンガ
ベースの上にセットされる下面側の鉢底ネット (3)とで構成される
水草苗床プレート(P)と、前記シニヨンネット(1)が固定される
ネットホールダー (2)とからなる観賞用水草作成用セット。